(57)【要約】      （修正有）【課題】携帯に便利で、いつでもどこでも使え、女性自身でも使える男性性器の代用品を提供する。【解決手段】手の平９を上に向けて人差し指１と中指２をたてて親指と薬指と小指１０を折り曲げて、これにシリコンで足りないところを補填して形を形成する、亀頭６と手の甲側の拳の間は少し反りを入れて女性の陰部に入れやすくする、二本の指の露出部分は感触を得やすくするようにした男性性器の代用品。また、使用後は、水洗して何回でも使えるようにした男性性器の代用品。【選択図】図２
2017012708.tif 000002
【特許請求の範囲】
【請求項１】
元気な男性の勃起状態を基本の形にするために、手の平（９）を上に向けて人差し指（１）と中指（２）たてて親指と薬指と小指（１０）を折り曲げて、これにシリコンで足りないところを補填して形を形成する、亀頭（６）と手の甲（８）側の拳の間は少し反りを入れて女性の陰部に入れやすくする、二本の指の露出部分は感触を得やすくするようにした。
【請求項２】
利き手の人差し指（５）と中指（２）を立ててシリコンで突端の長い楕円形の切断部分を亀頭（６）の形に整えて、中央で二本の指に挟む（３）２ミリ程度の上下の繋ぎ手を残し、これで手の平（９）側と手の甲（８）側の続き手部分で分銅家紋形（４）になるようにして、表と裏のシリコンの山形と挟んだ指二本の合計４本は半円形で、これらを合わせて一本にする、その先端部分では分銅家紋形（４）の繋ぎ手と直角に左右に空けた指穴（５）に差し込む、穴の大きさは指先が入る大きさで、深さは中指（２）の第一関節までとする、亀頭（６）の少しカリ首を残して分銅家紋形（４）の大きさとして、これらのシリコンは全体に一体とする、この指で挟む（３）棒状のものができたものが、太さ、長さ、硬さは男性の性器の勃起状態と同じようにする。
【請求項３】
こうしてシリコンの２ミリ程度の指で挟む（３）上下の繋ぎ手は人差し指（１）と中指（２）の二本の指の根元までとして、伸びてきた分銅家紋形（４）の上側と下側はここから続いて上下に分かれる、手の平（９）側と手の甲（８）側にこのシリコンをそのまま延長して、手の平（９）側を「く」の字が逆に曲げ手の平（９）に沿うように、指が二本ぐらいの太さに変形して握り（７）を作る、これを握る指は親指と薬指と小指（１０）の三本で握り安定させる、こちらのシリコンは手の平（９）の末端までする、もう一方の裏の手の甲（８）側の半円形のままで延長して拳より少し長い目にする。
【請求項４】
人差し指（１）と中指（２）の二本の指に嵌めたシリコンの分頭家紋形（４）と亀頭（６）の大きさや太さ、長さは男性の性器の勃起した状態と同じような形にして、硬さは勃起状態の硬さにする、衛生面や滑りをよくするには指を嵌めてからその上からコンドームをしてもよい、この本体は男性が自分の性器に代わるものに使うものですが、相手のいない独り身の女性にも自分自身で使うこともできる。
【発明の詳細な説明】
【技術分野】
【０００１】  女性との性行為で男性が高齢者や病気等で女性を満足させられない事情のある人も増えて、男性の性器の代用品が必要となってきました、そこでバックやポケットにも入れられていつでも、どこでも使えることのできる男性性器の代用品の提供です、また相手のいない女性には自身でも使用ができるのです。
【背景技術】
【０００２】  男性の性器の代用品としては、性器そのままの実物大のもので電池でのバイブレーションつきのもが販売されていますが、それは一般人には手に入れにくく高価なもので、携帯用に利用するには不向きであった。【０００３】  性行為に自信がなくて女性を満足させるどころか、早漏で失敗をしたり、インポで挿入できずに恥をかく男性もいました。【０００４】  また高価な精力剤を飲んでその時だけの効き目を信じて薬局通いをする、日頃体力増強剤の通販に騙される男性も多くいた。【０００５】  今後は高齢者の男性が益々増えて寿命が長くなり、受身の女房を満足させるのも、その都度の勃起にも時間的間にあわない、安くてすぐに使えるものでなければその場の役に立たない。【０００６】  中高年の女性には性欲はあるが相手がいなかたり、男性も自分のことながら思うときに言うことがきかずに、中高年になると思惑通りに性交渉ができません。
【先行技術文献】
【０００７】
【特開平文献１】
０５−１０３８０５
【特表文献１】
２０１４−５３３１６２
【実開平文献１】
０７−０２７５２２
【実登文献２】
３０５２１３０  ３０８０２４５
【発明の概要】
【発明が解決しようとする課題】
【０００８】  性行為は女性に満足感があってうまくいくものです、そのためにもリードする男性の性器はいつでも使えるようにしておかねばなりません、しかし、高齢や病いで性に自信ない男性もいるのです。【０００９】  受身の女性に満足させることが男性の務めです、携帯用にも手軽に使えてバックやポケットに入れられ、いつでも、どこでも繰り返し使えるものが必須なのです。【００１０】  これがあれば男性の高齢化や病気の者によるコンプレックスもなくなり、いつでも女性のほしがる時にその要求に応えられる、男は女の満足感に満たされるものです。【００１１】  使用後は水で洗えば何回でも使えて次の準備ができるものがあればよい、世の中に男女がいれば性行為は必ず続くものです。【００１２】  最近は糖尿病患者が急増してきたが、この患者多くには勃起障害、老衰性インポ、早漏等の悩みのある人が増加しています、そして性行為に支障が出ています。
本発明は、以上の問題点を解決するためのものです。
【課題を解決するための手段】
【００１３】  右利きの人や左利きの人それぞれの利き手を出して、その人差し指と中指の二本の指を立てて、手の平側にシリコンでこの指に沿って二本の指の谷間を埋めて、更にそこを山に盛る、手の裏側にもシリコンで同じように埋めて山に盛る、このとき二本の指を少し開いた状態にしてこの薄くなったところで上下裏表をつなぐ、こすることで分銅家紋の形になる、そしてこの指先にあたる部分に長い楕円形を切った形の丸い亀頭を作る、その亀頭部分と指で挟む薄くなったところに直角になるように中指の第一関節まで入る穴を左右にあける、そして二本の指を差し込む。【００１４】  残りの親指と薬指と小指の三本で手の平まで届くようにしたシリコンの握りを握る、これは指の谷間と山に盛って埋めた分銅家紋形の薄い部分は、この人差し指と中指の二本の指の根元までとして、手の平まで届いた山に盛った部分は握りとして形を変えて、手の平に沿うように右手の場合は「く」の字の逆さまに曲げて、左手の場合は「く」の字に曲げて、この曲がり部分からシリコンは指二本ぐらいの太さに変形して、手の平の末端で止めて握りやすくして、残りの三本の指で握って安定をさせる。【００１５】  この全体を女性の陰部に插入する部分の太さと長さは通常の男性の勃起した性器とほぼ同じ大きさにして、シリコンで指の谷間を埋めて山形に盛った分銅家紋形の、表の手の平側と裏の手の甲側の山形と、指で膨れた二本の山形の合計４本の山形は、それぞれに互いに谷間ができる、この４本の亀頭になる部分の形を整えて、カリ首を残して分銅家紋形の大きさとし、指と分頭家紋形のシリコンの谷間をそのままにして、これが男性の性器の代用品となる。【００１６】  シリコンの硬さは通常の男性の性器の勃起した硬さにして、シリコンで調整するか、または部分的に袋状にして液体等で調整をする、【００１７】  人差し指と中指で挟んだシリコンの全体の姿は、突端の亀頭と二本の指の根元にあたる部分は手の平側に反らせると使いやすくなる。【００１８】  滑りやすさや衛生面を考えるならば、男性性器のシリコンを手に装着してから伸ばした指に沿った部分に上からコンドームで覆ってもより効果がでる。【００１９】  この男性性器の代用具は独り者の女性が自身で一人で扱うこともでき、女性としても自分で楽しむこともできる。【００２０】  女性の陰部に插入するにあたり男性も女性の陰部に触れて感触を得られるようにした、女性の陰部の体温を二本の指が直接とらえられるようにもした。【００２１】  使用後は水で洗って次の準備に備えるとよい、こうすれば何回も使用ができて便利である、携帯用として旅行にも持ち運びもできる。【００２２】  自信のない早漏の男性は女性が満足してから後に、女性の陰部に男の性器を插入する方法もあるので双方が満足得られるように工夫して楽しめばよい。【００２３】  人には右利きの手と左利き手があるので制作に当たっては合うように作る、大きさや指の太さが変わるので何種類かを制作する。
以上の方法による男性性器の代用品である。
【発明の効果】
【００２４】  この世に男女がいる限り一生涯性行為で楽しむことができます、これで夫婦円満になり男女が仲良くなることを目的とする、女性はあくまでも受け身であるので男性次第になる、男は一生涯その責任を果たさなければならない、しかし押し寄せる高齢化や病気でその責任は果たせない人も多いのです、そんな人に男性性器に代わる本具が役に立ちます。
【図面の簡単な説明】
【００２５】
【図１】右手の平側の斜視図
【図２】右手の平側へ本体装着斜視図
【図３】右手の甲側へ本体装着斜視図
【図４】右手の横側の本体装着断面図（分頭家紋形図）
【発明を実施するための形態】
【００２６】  以下、本発明の実施の形態を説明する。
（イ）  右手の平（９）を上にして二本の指、人差し指（１）と中指（２）を伸ばして、その二本の指の谷間を埋めたシリコンを盛り上げて山形にして、この半円形の外観は丸くなるようにする、この上下をつなぐ薄くなった部分を二本の指で挟む（３）こしてできた分銅家紋形（４）は上下を繋げて、この指で挟む（３）上下板は二本の指の根元までとする、指先の接するシリコンの長い楕円形を半分に切ったような亀頭（６）のカリ首を少し残して分銅家紋形（４）の大きさにする、この薄い部分と直角に左右に空けた指穴（５）に指を差込み、深さは中指（２）の第一関節までとし、亀頭（６）から指に沿って伸びた半円形の分銅家紋形（４）の手の平（９）側に続いてきたシリコンを伸ばして人差し指（１）中指（２）の根元から「く」の字の逆に指二本ぐらいの太さに変形した握り（７）を、手の平（９）に沿うように曲げて、残りの親指と薬指と小指（１０）で握り本体を安定させる、左手の必要な場合は逆方向に同じように作る。
（ロ）  右手をひっくり返せば手の甲（８）と指も裏側になる、人差し指（１）と中指（２）のその二本の指の谷間の埋めた、シリコンを盛り上げた山形の分銅家紋形（４）となりこちらの半円形の外観も丸くなるようにして、先端の亀頭（６）のカリ首を少し残し分銅家紋形（４）の大きさとして、手の甲（８）に伸びてきた半円形の分銅家紋形（４）の薄い繋ぎ手のない裏側に分かれたシリコンを、二本の指の根元の拳から少し長い目に残してここで止める、すべてシリコンの切り口と角は落とし滑らかになるようにする、左手の必要な人は逆方向に同じように作る。
（ハ）  手の平（９）側の手の甲（８）側の指人差し指（１）と中指（２）の二本の指とシリコンの分銅家紋形（４）の上下の山形との合計４本で一本にして、それぞれの山形は半円形で丸く収まるようにする、指とシリコンの互の谷間をそのままに全体は通常の男の勃起した性器に近いものにしてシリコンは一体化する、女性の性器に射し込む人差し指（１）と中指（２）は指肌をあえて露出し、性器の内部に触れて体温の感触を得るものにする、さらに亀頭（６）を少し手の平（９）側に反らすことで更に差込やすくする。
【符号の説明】
【００２７】  １、人差し指
２、中指
３、指で挟む
４、分頭家紋形
５、指穴
６、亀頭
７、握り
８、手の甲
９、手の平
１０、親指と薬指と小指
【図１】
2017012708.tif 000003
【図２】
2017012708.tif 000004
【図３】
2017012708.tif 000005
【図４】
2017012708.tif 000006